(57)【要約】【課題】スマートフォンなどの携帯端末に表示される特売情報や割引クーポン情報の閲覧性を向上させる。【解決手段】顧客のメールアドレスに配信された販売促進用の電子メールを読み込むメール読み込み手段２ａと、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段２ｂと、携帯端末２にて顧客に日付別フォルダを選択させるフォルダ選択手段２ｃと、顧客が選択した日付別フォルダに格納された特売情報および／または割引クーポン情報を携帯端末２に表示させる情報表示手段２ｄと、を備える。【選択図】図７
2013200856.tif 000002
【特許請求の範囲】
【請求項１】
顧客が所持する携帯端末と、
所定の実在店舗に係る特売情報および／または割引クーポン情報が含まれる販売促進用の電子メールを顧客のメールアドレスに対して配信する販売促進メール配信端末と、
前記携帯端末と前記販売促進メール配信端末を通信可能に接続するネットワークと、を備える販売促進メールシステムであって、
顧客のメールアドレスに配信された販売促進用の電子メールを読み込むメール読み込み手段と、
読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、
前記携帯端末にて顧客に日付別フォルダを選択させるフォルダ選択手段と、
顧客が選択した日付別フォルダに格納された特売情報および／または割引クーポン情報を前記携帯端末に表示させる情報表示手段と、を備えることを特徴とする販売促進メールシステム。
【請求項２】
顧客が所持する携帯端末と、
所定の実在店舗に係る特売情報および／または割引クーポン情報が含まれる販売促進用の電子メールを顧客のメールアドレスに対して配信する販売促進メール配信端末と、
前記携帯端末と前記販売促進メール配信端末を通信可能に接続するネットワークと、を備える販売促進メールシステムであって、
前記販売促進メール配信端末は、
顧客が所持する前記携帯端末のメールアドレスに販売促進用の電子メールを配信し、
前記携帯端末は、
販売促進用の電子メールに含まれる特売情報および／または割引クーポン情報を閲覧するためのアプリケーションソフトウェアを備え、
該アプリケーションソフトウェアは、
顧客のメールアドレスに配信された販売促進用の電子メールを前記携帯端末のメール受信フォルダから読み込むメール読み込み手段と、
読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、
前記携帯端末にて顧客に日付別フォルダを選択させるフォルダ選択手段と、
顧客が選択した日付別フォルダに格納された特売情報および／または割引クーポン情報を前記携帯端末に表示させる情報表示手段と、を備えることを特徴とする請求項１に記載の販売促進メールシステム。
【請求項３】
顧客が所持する携帯端末と、
所定の実在店舗に係る特売情報および／または割引クーポン情報が含まれる販売促進用の電子メールを顧客のメールアドレスに対して配信する販売促進メール配信端末と、
前記携帯端末と前記販売促進メール配信端末を通信可能に接続するネットワークと、を備える販売促進メールシステムであって、
前記販売促進メール配信端末は、
顧客が利用するウェブメールサービスのメールアドレスに販売促進用の電子メールを配信し、
前記携帯端末は、
販売促進用の電子メールに含まれる特売情報および／または割引クーポン情報を閲覧するためのアプリケーションソフトウェアを備え、
該アプリケーションソフトウェアは、
顧客のメールアドレスに配信された販売促進用の電子メールを、前記ウェブメールサービスを提供するサイトのメール受信フォルダから読み込むメール読み込み手段と、
読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、
前記携帯端末にて顧客に日付別フォルダを選択させるフォルダ選択手段と、
顧客が選択した日付別フォルダに格納された特売情報および／または割引クーポン情報を前記携帯端末に表示させる情報表示手段と、を備えることを特徴とする請求項１に記載の販売促進メールシステム。
【請求項４】
顧客が所持する携帯端末と、
所定の実在店舗に係る特売情報および／または割引クーポン情報が含まれる販売促進用の電子メールを顧客のメールアドレスに対して配信する販売促進メール配信端末と、
前記携帯端末と前記販売促進メール配信端末を通信可能に接続するネットワークと、を備える販売促進メールシステムであって、
前記販売促進メール配信端末は、
顧客が利用するウェブメールサービスのメールアドレスに販売促進用の電子メールを配信し、
前記ウェブメールサービスを提供するウェブメールサイトは、
顧客のメールアドレスに配信された販売促進用の電子メールを前記ウェブメールサイトのメール受信フォルダから読み込むメール読み込み手段と、
読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、を備え、
前記携帯端末は、
販売促進用の電子メールに含まれる特売情報および／または割引クーポン情報を閲覧するためのアプリケーションソフトウェアを備え、
該アプリケーションソフトウェアは、
前記携帯端末にて顧客に日付別フォルダを選択させるフォルダ選択手段と、
顧客が選択した日付別フォルダに格納された特売情報および／または割引クーポン情報を前記ウェブメールサイトから読み込んで前記携帯端末に表示させる情報表示手段と、を備えることを特徴とする請求項１に記載の販売促進メールシステム。
【請求項５】
顧客が所持する携帯端末と、
所定の実在店舗に係る特売情報および／または割引クーポン情報が含まれる販売促進用の電子メールを顧客のメールアドレスに対して配信する販売促進メール配信端末と、
前記携帯端末と前記販売促進メール配信端末を通信可能に接続するネットワークと、を備える販売促進メールシステムであって、
前記販売促進メール配信端末は、
顧客が利用するウェブメールサービスのメールアドレスに販売促進用の電子メールを配信し、
前記ウェブメールサービスを提供するウェブメールサイトは、
顧客のメールアドレスに配信された販売促進用の電子メールを前記ウェブメールサイトのメール受信フォルダから読み込むメール読み込み手段と、
読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、
前記携帯端末のウェブページ閲覧用ソフトウェアを介して顧客に日付別フォルダを選択させるフォルダ選択手段と、
顧客が選択した日付別フォルダに格納された特売情報および／または割引クーポン情報を前記ウェブページ閲覧用ソフトウェアを介して前記携帯端末に表示させる情報表示手段と、を備えることを特徴とする請求項１に記載の販売促進メールシステム。
【請求項６】
前記販売促進メール配信端末は、
有効日付が異なる複数の特売情報および／または割引クーポン情報を１通の電子メールでまとめて配信し、
前記振り分け格納手段は、
１通の電子メールに含まれる複数の特売情報および／または割引クーポン情報を、当該情報毎に付加された有効日付情報にもとづいて生成または選択した複数の日付別フォルダに振り分け状に格納することを特徴とする請求項１〜５のいずれか一項に記載の販売促進メールシステム。
【請求項７】
有効日付が経過した日付別フォルダおよび当該日付別フォルダ内の格納情報を所定のタイミングで自動的に削除するフォルダ自動削除手段を備えることを特徴とする請求項１〜６のいずれか一項に記載の販売促進メールシステム。
【請求項８】
前記振り分け格納手段は、
読み込んだ販売促進用の電子メールに含まれる特売情報および／または割引クーポン情報を、当該情報毎に付加された有効日付情報にもとづいて生成または選択した日付別フォルダに振り分け状に格納するにあたり、
日付別フォルダの下位に業種別フォルダを生成するとともに、日付別フォルダに格納される特売情報および／または割引クーポン情報を、当該情報毎に付加された業種情報にもとづいて該当する業種別フォルダに振り分け状に格納し、
前記フォルダ選択手段は、
顧客に日付別フォルダおよび業種別フォルダを選択させ、
前記情報表示手段は、
顧客が選択した日付別フォルダの業種別フォルダに格納された特売情報および／または割引クーポン情報を前記携帯端末に表示させることを特徴とする請求項１〜７のいずれか一項に記載の販売促進メールシステム。
【請求項９】
前記情報表示手段は、
業種別フォルダに格納された複数の特売情報および／または割引クーポン情報を前記携帯端末に表示させるにあたり、
特売情報および／または割引クーポン情報の商品種別を判断し、商品種別が識別可能な状態で特売情報および／または割引クーポン情報を前記携帯端末に表示させることを特徴とする請求項８に記載の販売促進メールシステム。
【請求項１０】
前記情報表示手段は、
日付別フォルダに格納された複数の特売情報および／または割引クーポン情報を前記携帯端末に表示させるにあたり、
特売情報および／または割引クーポン情報のお買い得度を判断し、お買い得度が識別可能な状態で特売情報および／または割引クーポン情報を前記携帯端末に表示させることを特徴とする請求項１〜９のいずれか一項に記載の販売促進メールシステム。
【発明の詳細な説明】
【技術分野】
【０００１】
本発明は、実在店舗に係る特売情報や割引クーポン情報が含まれる販売促進用の電子メールを顧客のメールアドレスに対して配信し、配信された販売促進用の電子メールを携帯端末を介して効率的かつ効果的に顧客に閲覧させることができる販売促進メールシステムに関する。
【背景技術】
【０００２】
近年、急速な通信ネットワーク環境および携帯端末機器の進化に伴い、データ通信量の大きいスマートフォンが著しいスピードで普及している。一方でネットワークを利用した店舗集客の手法として電子チラシが知られている。電子チラシは、新聞の折り込みチラシなどを電子化したものであり、ネットワークを介してパソコンや携帯端末に配信する電子チラシ配信システムが既に開発されている。例えば、特許文献１には、登録された顧客の携帯端末に対して、実在店舗に係る電子チラシを電子メールで配信するシステムが示されている。
【先行技術文献】
【特許文献】
【０００３】
【特許文献１】特開２０１０−１７６６４０号公報
【発明の概要】
【発明が解決しようとする課題】
【０００４】
しかしながら、従来の電子チラシは、パソコンなどのように表示画面が比較的大きい端末に表示して閲覧するのには適しているが、スマートフォンなどのように表示画面が小さい携帯端末に表示して閲覧する場合、表示される文字や画像が小さくなって見えづらかったり、頻繁な画面拡大操作や画面スクロール操作が要求されるという問題があった。
【０００５】
このような問題を解決する方法としては、新聞の折り込みチラシに相当する電子チラシ全体を配信するのではなく、電子チラシのなかでも顧客にとって特に有益な情報、例えば、日替わり特価商品などの特売情報や、有効期間が限定された割引クーポン情報に絞って配信する方法が考えられるが、日替わり特価商品などの特売情報を顧客に毎日配信すると、電子メールの配信頻度が高くなるため、顧客に迷惑メールとして認識される可能性が高くなるという新たな問題が生じる。
【０００６】
しかしながら、メール配信側（店舗側）にあっては、顧客に来店を促すために、顧客にとって有益な日替わり特価商品などの特売情報を、迷惑メールとして認識されないように配信したいという強い要望があり、ここに本発明が解決しようとする課題がある。
【課題を解決するための手段】
【０００７】
本発明は、上記の如き実情に鑑みこれらの課題を解決することを目的として創作されたものであって、顧客が所持する携帯端末と、所定の実在店舗に係る特売情報および／または割引クーポン情報が含まれる販売促進用の電子メールを顧客のメールアドレスに対して配信する販売促進メール配信端末と、前記携帯端末と前記販売促進メール配信端末を通信可能に接続するネットワークと、を備える販売促進メールシステムであって、顧客のメールアドレスに配信された販売促進用の電子メールを読み込むメール読み込み手段と、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、前記携帯端末にて顧客に日付別フォルダを選択させるフォルダ選択手段と、顧客が選択した日付別フォルダに格納された特売情報および／または割引クーポン情報を前記携帯端末に表示させる情報表示手段と、を備えることを特徴とする。
また、顧客が所持する携帯端末と、所定の実在店舗に係る特売情報および／または割引クーポン情報が含まれる販売促進用の電子メールを顧客のメールアドレスに対して配信する販売促進メール配信端末と、前記携帯端末と前記販売促進メール配信端末を通信可能に接続するネットワークと、を備える販売促進メールシステムであって、前記販売促進メール配信端末は、顧客が所持する前記携帯端末のメールアドレスに販売促進用の電子メールを配信し、前記携帯端末は、販売促進用の電子メールに含まれる特売情報および／または割引クーポン情報を閲覧するためのアプリケーションソフトウェアを備え、該アプリケーションソフトウェアは、顧客のメールアドレスに配信された販売促進用の電子メールを前記携帯端末のメール受信フォルダから読み込むメール読み込み手段と、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、前記携帯端末にて顧客に日付別フォルダを選択させるフォルダ選択手段と、顧客が選択した日付別フォルダに格納された特売情報および／または割引クーポン情報を前記携帯端末に表示させる情報表示手段と、を備えることを特徴とする。
また、顧客が所持する携帯端末と、所定の実在店舗に係る特売情報および／または割引クーポン情報が含まれる販売促進用の電子メールを顧客のメールアドレスに対して配信する販売促進メール配信端末と、前記携帯端末と前記販売促進メール配信端末を通信可能に接続するネットワークと、を備える販売促進メールシステムであって、前記販売促進メール配信端末は、顧客が利用するウェブメールサービスのメールアドレスに販売促進用の電子メールを配信し、前記携帯端末は、販売促進用の電子メールに含まれる特売情報および／または割引クーポン情報を閲覧するためのアプリケーションソフトウェアを備え、該アプリケーションソフトウェアは、顧客のメールアドレスに配信された販売促進用の電子メールを、前記ウェブメールサービスを提供するサイトのメール受信フォルダから読み込むメール読み込み手段と、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、前記携帯端末にて顧客に日付別フォルダを選択させるフォルダ選択手段と、顧客が選択した日付別フォルダに格納された特売情報および／または割引クーポン情報を前記携帯端末に表示させる情報表示手段と、を備えることを特徴とする。
また、顧客が所持する携帯端末と、所定の実在店舗に係る特売情報および／または割引クーポン情報が含まれる販売促進用の電子メールを顧客のメールアドレスに対して配信する販売促進メール配信端末と、前記携帯端末と前記販売促進メール配信端末を通信可能に接続するネットワークと、を備える販売促進メールシステムであって、前記販売促進メール配信端末は、顧客が利用するウェブメールサービスのメールアドレスに販売促進用の電子メールを配信し、前記ウェブメールサービスを提供するウェブメールサイトは、顧客のメールアドレスに配信された販売促進用の電子メールを前記ウェブメールサイトのメール受信フォルダから読み込むメール読み込み手段と、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、を備え、前記携帯端末は、販売促進用の電子メールに含まれる特売情報および／または割引クーポン情報を閲覧するためのアプリケーションソフトウェアを備え、該アプリケーションソフトウェアは、前記携帯端末にて顧客に日付別フォルダを選択させるフォルダ選択手段と、顧客が選択した日付別フォルダに格納された特売情報および／または割引クーポン情報を前記ウェブメールサイトから読み込んで前記携帯端末に表示させる情報表示手段と、を備えることを特徴とする。
また、顧客が所持する携帯端末と、所定の実在店舗に係る特売情報および／または割引クーポン情報が含まれる販売促進用の電子メールを顧客のメールアドレスに対して配信する販売促進メール配信端末と、前記携帯端末と前記販売促進メール配信端末を通信可能に接続するネットワークと、を備える販売促進メールシステムであって、前記販売促進メール配信端末は、顧客が利用するウェブメールサービスのメールアドレスに販売促進用の電子メールを配信し、前記ウェブメールサービスを提供するウェブメールサイトは、顧客のメールアドレスに配信された販売促進用の電子メールを前記ウェブメールサイトのメール受信フォルダから読み込むメール読み込み手段と、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段と、前記携帯端末のウェブページ閲覧用ソフトウェアを介して顧客に日付別フォルダを選択させるフォルダ選択手段と、顧客が選択した日付別フォルダに格納された特売情報および／または割引クーポン情報を前記ウェブページ閲覧用ソフトウェアを介して前記携帯端末に表示させる情報表示手段と、を備えることを特徴とする。
また、前記販売促進メール配信端末は、有効日付が異なる複数の特売情報および／または割引クーポン情報を１通の電子メールでまとめて配信し、前記振り分け格納手段は、１通の電子メールに含まれる複数の特売情報および／または割引クーポン情報を、当該情報毎に付加された有効日付情報にもとづいて生成または選択した複数の日付別フォルダに振り分け状に格納することを特徴とする。
また、有効日付が経過した日付別フォルダおよび当該日付別フォルダ内の格納情報を所定のタイミングで自動的に削除するフォルダ自動削除手段を備えることを特徴とする。
また、前記振り分け格納手段は、読み込んだ販売促進用の電子メールに含まれる特売情報および／または割引クーポン情報を、当該情報毎に付加された有効日付情報にもとづいて生成または選択した日付別フォルダに振り分け状に格納するにあたり、日付別フォルダの下位に業種別フォルダを生成するとともに、日付別フォルダに格納される特売情報および／または割引クーポン情報を、当該情報毎に付加された業種情報にもとづいて該当する業種別フォルダに振り分け状に格納し、前記フォルダ選択手段は、顧客に日付別フォルダおよび業種別フォルダを選択させ、前記情報表示手段は、顧客が選択した日付別フォルダの業種別フォルダに格納された特売情報および／または割引クーポン情報を前記携帯端末に表示させることを特徴とする。
また、前記情報表示手段は、業種別フォルダに格納された複数の特売情報および／または割引クーポン情報を前記携帯端末に表示させるにあたり、特売情報および／または割引クーポン情報の商品種別を判断し、商品種別が識別可能な状態で特売情報および／または割引クーポン情報を前記携帯端末に表示させることを特徴とする。
また、前記情報表示手段は、日付別フォルダに格納された複数の特売情報および／または割引クーポン情報を前記携帯端末に表示させるにあたり、特売情報および／または割引クーポン情報のお買い得度を判断し、お買い得度が識別可能な状態で特売情報および／または割引クーポン情報を前記携帯端末に表示させることを特徴とする。
【発明の効果】
【０００８】
請求項１の発明によれば、顧客のメールアドレスに配信された販売促進用の電子メールに含まれる特売情報や割引クーポン情報は、当該情報毎に付加された有効日付情報にもとづいて生成または選択した日付別フォルダに振り分け状に格納され、顧客は、携帯端末において日付別フォルダを選択することにより、日付別フォルダに格納された特売情報や割引クーポン情報を効率的に閲覧することが可能になる。これにより、複数の有効日付に係る特売情報や割引クーポン情報を一画面で同時に閲覧する従来の電子チラシに比べ、画面の大きさが比較的小さいスマートフォンなどの携帯端末に表示される特売情報や割引クーポン情報の閲覧性を飛躍的に向上させることができる。また、メール配信側（店舗側）としては、顧客が要求する日付の特売情報や割引クーポン情報を的確に閲覧させることができるので、効果的な集客を行うことができる。また、有効日付前であれば、任意のタイミングで特売情報や割引クーポン情報を配信することができるので、電子メールの配信間隔を柔軟に調整することが可能になり、その結果、迷惑メールとして認識される可能性も飛躍的に低下させることができる。
また、請求項２の発明によれば、携帯端末用のアプリケーションソフトウェアがメール読み込み手段、振り分け格納手段、フォルダ選択手段および情報表示手段を備えるので、顧客側は、本発明に係るアプリケーションソフトウェアを携帯端末に導入するだけで、特売情報や割引クーポン情報を効率良く閲覧することが可能になる。しかも、販売促進メール配信端末は、顧客が所持する携帯端末に販売促進用の電子メールを配信するので、アプリケーションソフトウェアは、メールサーバやウェブメールサイトと通信することなく、携帯端末のメール受信フォルダから販売促進用の電子メールを読み込むことができる。
また、請求項３の発明によれば、携帯端末用のアプリケーションソフトウェアがメール読み込み手段、振り分け格納手段、フォルダ選択手段および情報表示手段を備えるので、顧客側は、本発明に係るアプリケーションソフトウェアを携帯端末に導入するだけで、特売情報や割引クーポン情報を効率良く閲覧することが可能になる。しかも、販売促進メール配信端末は、顧客が利用するウェブメールサービスのメールアドレスに販売促進用の電子メールを配信し、携帯端末用のアプリケーションソフトウェアがウェブメールサイトから販売促進用の電子メールを読み込むので、携帯端末において電子メールの着信音などを発生させないという利点がある。
また、請求項４の発明によれば、ウェブメールサイトがメール読み込み手段および振り分け格納手段を備えるので、携帯端末側の処理負担を軽減できるだけでなく、携帯端末において電子メールの着信音などを発生させないという利点がある。
また、請求項５の発明によれば、ウェブメールサイトがメール読み込み手段、振り分け格納手段、フォルダ選択手段および情報表示手段を備えるので、携帯端末側の処理負担を軽減できるだけでなく、携帯端末において電子メールの着信音などを発生させないという利点がある。
また、請求項６の発明によれば、販売促進メール配信端末は、有効日付が異なる複数の特売情報や割引クーポン情報を１通の電子メールでまとめて配信し、振り分け格納手段は、１通の電子メールに含まれる複数の特売情報や割引クーポン情報を複数の日付別フォルダに振り分け状に格納するので、店舗側のメール配信数や顧客側のメール受信数を削減しつつ多くの特売情報や割引クーポン情報を顧客に提供することが可能になる。
また、請求項７の発明によれば、有効日付が経過した日付別フォルダおよび当該日付別フォルダ内の格納情報を所定のタイミングで自動的に削除するフォルダ自動削除手段を備えるので、顧客が自ら手動で削除する場合に比べ、顧客の操作負担を軽減することができる。
また、請求項８の発明によれば、日付別フォルダに格納された特売情報や割引クーポン情報を業種別に分類された状態でより効率良く閲覧することができる。
また、請求項９の発明によれば、業種別フォルダに格納された特売情報や割引クーポン情報を商品種別が識別可能な状態でより効率良く閲覧することができる。
また、請求項１０の発明によれば、日付別フォルダに格納された特売情報や割引クーポン情報をお買い得度を識別可能な状態で効率良く閲覧することができる。
【図面の簡単な説明】
【０００９】
【図１】本発明の実施形態に係る販売促進メールシステムの概略構成を示すブロック図である。
【図２】本発明の実施形態に係る販売促進用の電子メールの記述例（小売り）を示す説明図である。
【図３】（Ａ）は本発明の実施形態に係る販売促進用の電子メールの記述例（サービス）を示す説明図、（Ｂ）は他の記述例（飲食）を示す説明図である。
【図４】本発明の実施形態に係る携帯端末（アプリケーションソフトウェア）の機能的な構成を示すブロック図である。
【図５】本発明の実施形態に係る携帯端末のトップ画面を示す説明図である。
【図６】本発明の実施形態に係る携帯端末の日付別フォルダ一覧表示画面を示す説明図である。
【図７】本発明の実施形態に係る携帯端末の日替わり特価表示画面（小売り）を示す説明図である。
【図８】本発明の実施形態に係る携帯端末の日替わり特価表示画面（サービス）を示す説明図である。
【図９】本発明の実施形態に係る携帯端末の日替わり特価表示画面（飲食）を示す説明図である。
【図１０】本発明の実施形態に係る受信メール処理の処理手順を示すフローチャートである。
【図１１】本発明の実施形態に係る情報閲覧処理の処理手順を示すフローチャートである。
【図１２】本発明の実施形態に係るレイアウト処理の処理手順を示すフローチャートである。
【図１３】本発明の実施形態に係るフォルダ自動削除処理の処理手順を示すフローチャートである。
【図１４】本発明の第一実施形態に係る販売促進メールシステムの動作を示す梯子図である。
【図１５】本発明の第二実施形態に係る販売促進メールシステムの動作を示す梯子図である。
【図１６】本発明の第三実施形態に係る販売促進メールシステムの動作を示す梯子図である。
【図１７】本発明の第四実施形態に係る販売促進メールシステムの動作を示す梯子図である。
【発明を実施するための形態】
【００１０】
以下、本発明の実施の形態について、図面に基づいて説明する。
【００１１】
図１は、本発明の実施形態に係る販売促進メールシステムの概略構成を示すブロック図である。
この図において、１は本発明の実施形態に係る販売促進メールシステムであって、該販売促進メールシステム１は、顧客が所持するスマートフォンなどの携帯端末２と、所定の実在店舗に係る特売情報や割引クーポン情報が含まれる販売促進用の電子メールを会員登録された会員顧客の携帯端末２に配信する販売促進メール配信端末３と、実在店舗に来店した会員顧客による携帯端末２の近接または接触操作に応じて携帯端末２と近接通信を行い、所定の会員登録処理を行なう会員登録用の近接通信端末４と、これらを通信可能に接続するネットワーク５（例えば、インターネット５Ａ、携帯電話通信網５Ｂおよびローカルエリアネットワーク５Ｃ）と、を備えて構成されている。
【００１２】
なお、本実施形態では、実在店舗毎に販売促進メール配信端末３を設置し、実在店舗単位で販売促進用の電子メールを配信することを想定しているが、実在店舗がチェーン店である場合は、複数の実在店舗に係る販売促進用の電子メールをチェーン店の本部からまとめて配信するようにしてもよい。
【００１３】
会員登録用の近接通信端末４は、例えば、既に多くの携帯端末２に装備されているフェリカ（登録商標）などの近接通信方式を用いて携帯端末２と近接通信を行うように構成されており、実在店舗の適切な場所、例えば、メール会員勧誘表示（ポスター、電子看板など）の近傍に設置されている。メール会員勧誘表示には、メール会員登録手順の第一ステップである携帯端末２のタッチ操作（近接通信端末４に対する近接または接触操作）を勧める画像やメッセージ（例えば「お手元の端末に携帯電話をタッチして下さい。」）が含まれており、例えば、以下に示すステップによって顧客が所有する携帯端末２の電子メールアドレスが販売促進メール配信端末３に登録されるようになっている。
【００１４】
まず、メール会員への入会を希望する顧客は、所持している携帯端末２を近接通信端末４に対して近接または接触させる。近接通信端末４は、携帯端末２の近接または接触操作に応じて、当該携帯端末２に会員登録用の電子メールアドレスを送信する。ここで顧客は、携帯端末２から会員登録用の電子メールアドレスに空メールを送信する。販売促進メール配信端末３は、携帯端末２から送信された空メールを受信するとともに、受信した空メールの送信アドレスを取得してメール会員のリストに登録する。以上でメール会員の登録が完了する。
【００１５】
図２は、本発明の実施形態に係る販売促進用の電子メールの記述例（小売り）を示す説明図、図３の（Ａ）は本発明の実施形態に係る販売促進用の電子メールの記述例（サービス）を示す説明図、（Ｂ）は他の記述例（飲食）を示す説明図である。
これらの図に示すように、本実施形態の販売促進メール配信端末３では、特売情報や割引クーポン情報に係る情報を所定のルールに従ってメール本文に記述し、これを販売促進用の電子メールとして会員顧客の携帯端末２に配信する。例えば、図２は、小売業の実在店舗（スーパー）から２日分の日替わり特価情報を配信する場合のメール記述例であり、上側の記述は、２０１２年２月７日、小売業である○スーパー○店において、食品であるしょうゆを９８円で販売することを意味し、表示画像として添付ファイルの「しょうゆ．ＪＰＧ」を使用することを示している。また、下側の記述は、２０１２年２月８日、小売業である○スーパー○店において、日用品であるトイレットペーパーを１９８円で販売することを意味し、表示画像として添付ファイルの「トイレットペーパー．ＪＰＧ」を使用することを示している。
【００１６】
また、図３の（Ａ）は、サービス業の実在店舗（ネイルサロン）から１日分の日替わり特価情報を配信する場合のメール記述例であり、２０１２年２月７日、サービス業（美容サービス）であるネイルサロン○○において、全商品を１０％引きで提供するすることを意味し、表示文字列として「全商品１０％引き」、表示画像として添付ファイルの「ネイル．ＪＰＧ」を使用することを示している。
【００１７】
また、図３の（Ｂ）は、飲食業の実在店舗（焼肉店）から１日分の日替わり特価情報を配信する場合のメール記述例であり、２０１２年２月７日、飲食業（韓国料理）である△△焼き肉店において、全品を１０％引きで提供するすることを意味し、表示文字列として「全品１０％引き」、表示画像として添付ファイルの「焼肉．ＪＰＧ」を使用することを示している。
【００１８】
図４は、本発明の実施形態に係る携帯端末（アプリケーションソフトウェア）の機能的な構成を示すブロック図である。
本実施形態の携帯端末２は、販売促進用の電子メールに含まれる特売情報や割引クーポン情報を閲覧するためのアプリケーションソフトウェアを備えており、該アプリケーションソフトウェアとハードウェアの協働によって実現される機能的な構成として、メール読み込み手段２ａ、振り分け格納手段２ｂ、フォルダ選択手段２ｃ、情報表示手段２ｄおよびフォルダ自動削除手段２ｅを備える。
【００１９】
メール読み込み手段２ａは、顧客のメールアドレスに配信された販売促進用の電子メールを携帯端末２のメール受信フォルダから読み込む。例えば、携帯端末２に標準装備されるメーラー（電子メール送受信用ソフトウェア）が電子メールを受信した際、当該メーラーのメール受信フォルダを検索し、受信メールが販売促進用の電子メールであると判断した場合は、この電子メールに含まれる特売情報や割引クーポン情報を読み込む。なお、販売促進用の電子メールであるか否かを判断する方法としては、配信側の電子メールアドレスをあらかじめ登録しておく方法や、販売促進用の電子メールのメールヘッダ情報やメール本文に販売促進用の電子メールであることを識別するための識別情報を付加する方法を用いることができる。
【００２０】
振り分け格納手段２ｂは、読み込んだ販売促進用の電子メールに含まれる特売情報や割引クーポン情報を、当該情報毎に付加された有効日付情報にもとづいて生成または選択した日付別フォルダに振り分け状に格納する。例えば、図３の（Ａ）に示す特売情報の場合は、２月７日の日付別フォルダが既に存在するか否かを判断し、２月７日の日付別フォルダが存在する場合は、その日付別フォルダに特売情報の内容を格納し、２月７日の日付別フォルダが存在しない場合は、２月７日の日付別フォルダを生成して特売情報の内容を格納する。
【００２１】
また、振り分け格納手段２ｂは、１通の電子メールに複数の特売情報や割引クーポン情報が含まれる場合には、１通の電子メールに含まれる複数の特売情報や割引クーポン情報を、当該情報毎に付加された有効日付情報にもとづいて生成または選択した複数の日付別フォルダに振り分け状に格納する。例えば、図２に示すように、１通の電子メールに２月７日と２月８日の特売情報が含まれる場合、各特売情報を該当する日付別フォルダに振り分け状に格納する。
【００２２】
また、本実施形態の振り分け格納手段２ｂは、読み込んだ販売促進用の電子メールに含まれる特売情報や割引クーポン情報を、当該情報毎に付加された有効日付情報にもとづいて生成または選択した日付別フォルダに振り分け状に格納するにあたり、日付別フォルダの下位に業種別フォルダを生成するとともに、日付別フォルダに格納される特売情報や割引クーポン情報を、当該情報毎に付加された業種情報にもとづいて該当する業種別フォルダに振り分け状に格納することができる。例えば、図３の（Ａ）に示す特売情報の場合は、業種情報にもとづいて日付別フォルダの下位となるサービス業の業種別フォルダを選択または生成し、ここに特売情報を格納する。
【００２３】
フォルダ選択手段２ｃは、顧客が特売情報や割引クーポン情報を閲覧する際、携帯端末２にて顧客に日付別フォルダを選択させる。例えば、本実施形態では、携帯端末２の画面に複数の日付別フォルダを一覧表示し、顧客による日付別フォルダの選択操作（タッチ操作）を待つ（図６参照）。
【００２４】
また、本実施形態のフォルダ選択手段２ｃは、顧客に日付別フォルダを選択させるだけでなく、業種別フォルダも選択させることができる。例えば、日付別フォルダを選択した後に表示される特売情報閲覧画面において、業種別フォルダを選択するための見出し（タブ）を表示し、顧客による業種別フォルダの選択操作を待つ（図７〜図９参照）。
【００２５】
情報表示手段２ｄは、顧客が選択した日付別フォルダに格納された特売情報や割引クーポン情報を所定のレイアウトで携帯端末２の画面に表示させる。例えば、図３の（Ａ）に示す特売情報の場合は、所定の表示領域に「ネイル．ＪＰＧ」の画像を表示するとともに、該表示画像の上に表示文字列「全商品１０％引き」と店名「ネイルサロン○○」をオーバラップ状に表示する（図８参照）。
【００２６】
また、本実施形態の情報表示手段２ｄは、顧客が選択した日付別フォルダの業種別フォルダに格納された特売情報や割引クーポン情報を携帯端末２に表示させることができる。例えば、小売り業の業種別フォルダに格納された特売情報と、サービス業の業種別フォルダに格納された特売情報と、飲食業の業種別フォルダに格納された特売情報とを任意に切り換えて閲覧することができる（図７〜図９参照）。
【００２７】
また、本実施形態の情報表示手段２ｄは、業種別フォルダに格納された複数の特売情報や割引クーポン情報を携帯端末２に表示させるにあたり、特売情報や割引クーポン情報の商品種別を判断し、商品種別が識別可能な状態で特売情報や割引クーポン情報を携帯端末２に表示させることができる。例えば、広告に折り込みチラシを利用する小売業としては、主に食品、日用品などを販売するスーパー、主に薬、化粧品、日用品、食品などを販売するドラッグストア、主に家電、パソコンなどを販売する家電量販店、主に衣類を販売する衣料販売店などがあり、これらの店舗が本発明の実施形態に係る販売促進用の電子メールを配信するとした場合、当該電子メールに含まれる特売情報や割引クーポン情報を無秩序に表示すると、例えば、１画面に食品、家電、衣類の特売情報が表示されるなど、特売情報の閲覧性が低下する惧れがあるため、特売情報を商品種別にもとづいたグループ化を行い、グループ単位で画面表示を行う。例えば、図７に示す表示例では、スーパーやドラッグストアで販売される食品や日用品を同じグループに分類して１画面に表示している。
【００２８】
また、情報表示手段２ｄは、日付別フォルダに格納された複数の特売情報や割引クーポン情報を携帯端末２に表示させるにあたり、特売情報や割引クーポン情報のお買い得度を判断し、お買い得度が識別可能な状態で特売情報や割引クーポン情報を携帯端末２に表示させることができる。例えば、お買い得度が高い特売情報ほど表示順序が早くなるようにしたり、お買い得度が高い特売情報の画像表示サイズを大きくするなどの処理を行う。なお、お買い得度の判断には、任意の方法を用いることができ、例えば、商品毎やサービス毎の基準価格データをあらかじめ保持し、この基準価格との比較でお買い得度を算出する方法を用いることができる。
【００２９】
フォルダ自動削除手段２ｅは、有効日付が経過した日付別フォルダおよび当該日付別フォルダ内の格納情報を所定のタイミングで自動的に削除する。例えば、有効日付が経過した日付別フォルダを定期的（例えば、１日に１回）に検索し、有効日付が経過した日付別フォルダが見つかった場合、その日付別フォルダと当該日付別フォルダ内の格納情報を直ちに削除する。
【００３０】
つぎに、携帯端末２における特売情報や割引クーポン情報の閲覧操作および画面表示例について、図５〜図９を参照して説明する。
【００３１】
図５は、本発明の実施形態に係る携帯端末のトップ画面を示す説明図、図６は、本発明の実施形態に係る携帯端末の日付別フォルダ一覧表示画面を示す説明図、図７は、本発明の実施形態に係る携帯端末の日替わり特価表示画面（小売り）を示す説明図、図８は、本発明の実施形態に係る携帯端末の日替わり特価表示画面（サービス）を示す説明図、図９は、本発明の実施形態に係る携帯端末の日替わり特価表示画面（飲食）を示す説明図である。
本発明の実施形態に係る販売促進用の電子メールに含まれる特売情報や割引クーポン情報を閲覧する場合は、図５に示すように、携帯端末２のトップ画面において所定のアイコンを選択操作する。
【００３２】
上記の操作を行うと、図６に示すように、日付別フォルダの選択画面に移行する。本実施形態では、本日から一週間分の日付別フォルダを一覧表示し、日付別フォルダの選択操作を待つ。
【００３３】
上記の画面でいずれかの日付別フォルダが選択操作すると、図６に示すように、選択した日付別フォルダに格納された特売情報や割引クーポン情報が表示される。図７に示す表示画面には、複数の商品に関する特売情報が含まれており、そのレイアウトに際しては、商品種別によるグループ化や、お買い得度による並び順や画像サイズの調整が行われている。
【００３４】
また、上記画面の下側には、業種別フォルダを選択するための見出しが表示されており、ここで業種別フォルダを選択操作すると、選択した業種別フォルダに格納された特売情報や割引クーポン情報が表示される。例えば、サービスを選択すると、図８に示すサービス業に係る特売情報が表示され、飲食を選択すると、図９に示す飲食業に係る特売情報が表示される。
【００３５】
つぎに、携帯端末２におけるアプリケーションソフトウェアの処理手順について、図１０〜図１３を参照して説明する。なお、以下に示す受信メール処理、情報閲覧処理、レイアウト処理およびフォルダ自動削除処理のうち、受信メール処理およびフォルダ自動削除処理は、常時または定期的に起動・実行され、情報閲覧処理およびレイアウト処理は、顧客のアプリケーション起動操作に応じて起動・実行されるものとする。
【００３６】
図１０は、本発明の実施形態に係る受信メール処理の処理手順を示すフローチャートである。
この図に示すように、受信メール処理では、携帯端末２の受信メールフォルダに新着の電子メールがあるか否かを判断し（Ｓ１１）、該判断結果がＹＥＳの場合は、新着の電子メールが販売促進用の電子メールであるか否かを判断する（Ｓ１２）。そして、新着の電子メールが販売促進用の電子メールであると判断した場合は、販売促進用の電子メールに含まれる特売情報や割引クーポン情報を読み込むととともに、当該情報毎に付加された有効日付情報にもとづいて、日付別フォルダを生成または選択し、該日付別フォルダに特売情報や割引クーポン情報を振り分け状に格納する（Ｓ１３）。その際、日付別フォルダの下位に業種別フォルダを生成するとともに、日付別フォルダに格納される特売情報や割引クーポン情報を、当該情報毎に付加された業種情報にもとづいて該当する業種別フォルダに振り分け状に格納する。
【００３７】
図１１は、本発明の実施形態に係る情報閲覧処理の処理手順を示すフローチャートである。
この図に示すように、情報閲覧処理では、まず、アプリケーションソフトウェアの起動操作に応じて、複数の日付別フォルダを一覧表示し（Ｓ２１）、顧客による日付別フォルダの選択操作を待つ（Ｓ２２）。顧客がいずれかの日付別フォルダを選択したら、顧客による業種別フォルダの選択操作を判断し（Ｓ２３）、ここで、未選択の場合や小売業が選択された場合は、選択された日付別フォルダ内の小売業の業種別フォルダに格納されている特売情報や割引クーポン情報を読み込み（Ｓ２４）、サービス業が選択された場合は、選択された日付別フォルダ内のサービス業の業種別フォルダに格納されている特売情報や割引クーポン情報を読み込み（Ｓ２５）、飲食業が選択された場合は、選択された日付別フォルダ内の飲食業の業種別フォルダに格納されている特売情報や割引クーポン情報を読み込む（Ｓ２６）。そして、特売情報や割引クーポン情報を読み込んだら、後述するレイアウト処理（Ｓ２７）を実行して表示画面のレイアウトを決定し、当該レイアウトに従って特売情報や割引クーポン情報を画面に表示する（Ｓ２８）。また、特売情報や割引クーポン情報の表示中は、業種の切換操作（Ｓ２９）やアプリ終了操作（Ｓ３０）を判断し、業種の切換操作があった場合は、ステップＳ２３に戻り、アプリ終了操作があった場合は、情報閲覧処理を終了する。
【００３８】
図１２は、本発明の実施形態に係るレイアウト処理の処理手順を示すフローチャートである。
この図に示すように、レイアウト処理では、まず、読み込んだ特売情報や割引クーポン情報を商品種別にもとづいてグループ化するとともに（Ｓ４１）、商品種別グループ毎に各商品のお買い得度を判定する（Ｓ４２）。つぎに、お買い得度の判定結果にもとづいて、特売情報や割引クーポン情報の表示レイアウト（表示順序、表示位置、表示サイズなど）を決定する（Ｓ４３）。
【００３９】
図１３は、本発明の実施形態に係るフォルダ自動削除処理の処理手順を示すフローチャートである。
この図に示すように、フォルダ自動削除処理では、有効日付が経過した日付別フォルダを定期的に検索し、有効日付が経過した日付別フォルダがあると判断した場合は（Ｓ５１）、その日付別フォルダと当該日付別フォルダ内の格納情報を直ちに削除する（Ｓ５２）。
【００４０】
叙述の如く構成された本実施形態によれば、顧客が所持する携帯端末２と、所定の実在店舗に係る特売情報および／または割引クーポン情報が含まれる販売促進用の電子メールを顧客のメールアドレスに対して配信する販売促進メール配信端末３と、携帯端末２と販売促進メール配信端末３を通信可能に接続するネットワーク５と、を備える販売促進メールシステム１であって、顧客のメールアドレスに配信された販売促進用の電子メールを読み込むメール読み込み手段２ａと、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段２ｂと、携帯端末２にて顧客に日付別フォルダを選択させるフォルダ選択手段２ｃと、顧客が選択した日付別フォルダに格納された特売情報および／または割引クーポン情報を携帯端末２に表示させる情報表示手段２ｄと、を備えるので、顧客は、携帯端末２において日付別フォルダを選択することにより、日付別フォルダに格納された特売情報や割引クーポン情報を効率的に閲覧することが可能になる。これにより、複数の有効日付に係る特売情報や割引クーポン情報を一画面で同時に閲覧する従来の電子チラシに比べ、特売情報や割引クーポン情報の閲覧性を飛躍的に向上させることができる。また、メール配信側（店舗側）としては、顧客が要求する日付の特売情報や割引クーポン情報を的確に閲覧させることができるので、効果的な集客を行うことができる。また、有効日付前であれば、任意のタイミングで特売情報や割引クーポン情報を配信することができるので、電子メールの配信間隔を柔軟に調整することが可能になり、その結果、迷惑メールとして認識される可能性も飛躍的に低下させることができる。
【００４１】
また、本実施形態においては、携帯端末用のアプリケーションソフトウェアがメール読み込み手段２ａ、振り分け格納手段２ｂ、フォルダ選択手段２ｃおよび情報表示手段２ｄを備えるので、顧客側は、本発明に係るアプリケーションソフトウェアを携帯端末２に導入するだけで、特売情報や割引クーポン情報を効率良く閲覧することが可能になる。しかも、販売促進メール配信端末３は、顧客が所持する携帯端末２に販売促進用の電子メールを配信するので、アプリケーションソフトウェアは、メールサーバやウェブメールサイトと通信することなく、携帯端末２のメール受信フォルダから販売促進用の電子メールを読み込むことができる。
【００４２】
また、販売促進メール配信端末３は、有効日付が異なる複数の特売情報および／または割引クーポン情報を１通の電子メールでまとめて配信し、振り分け格納手段２ｂは、１通の電子メールに含まれる複数の特売情報および／または割引クーポン情報を、当該情報毎に付加された有効日付情報にもとづいて生成または選択した複数の日付別フォルダに振り分け状に格納するので、店舗側のメール配信数や顧客側のメール受信数を削減しつつ多くの特売情報や割引クーポン情報を顧客に提供することが可能になる。
【００４３】
また、有効日付が経過した日付別フォルダおよび当該日付別フォルダ内の格納情報を所定のタイミングで自動的に削除するフォルダ自動削除手段２ｅを備えるので、顧客が自ら手動で削除する場合に比べ、顧客の操作負担を軽減することができる。
【００４４】
また、振り分け格納手段２ｂは、読み込んだ販売促進用の電子メールに含まれる特売情報および／または割引クーポン情報を、当該情報毎に付加された有効日付情報にもとづいて生成または選択した日付別フォルダに振り分け状に格納するにあたり、日付別フォルダの下位に業種別フォルダを生成するとともに、日付別フォルダに格納される特売情報および／または割引クーポン情報を、当該情報毎に付加された業種情報にもとづいて該当する業種別フォルダに振り分け状に格納し、フォルダ選択手段２ｃは、顧客に日付別フォルダおよび業種別フォルダを選択させ、情報表示手段２ｄは、顧客が選択した日付別フォルダの業種別フォルダに格納された特売情報および／または割引クーポン情報を携帯端末２に表示させるので、日付別フォルダに格納された特売情報や割引クーポン情報を業種別に分類された状態でより効率良く閲覧することができる。
【００４５】
また、情報表示手段２ｄは、業種別フォルダに格納された複数の特売情報および／または割引クーポン情報を携帯端末２に表示させるにあたり、特売情報および／または割引クーポン情報の商品種別を判断し、商品種別が識別可能な状態で特売情報および／または割引クーポン情報を携帯端末２に表示させるので、業種別フォルダに格納された特売情報や割引クーポン情報を商品種別が識別可能な状態でより効率良く閲覧することができる。
【００４６】
また、情報表示手段２ｄは、日付別フォルダに格納された複数の特売情報および／または割引クーポン情報を携帯端末２に表示させるにあたり、特売情報および／または割引クーポン情報のお買い得度を判断し、お買い得度が識別可能な状態で特売情報および／または割引クーポン情報を前記携帯端末に表示させるので、日付別フォルダに格納された特売情報や割引クーポン情報をお買い得度を識別可能な状態でより効率良く閲覧することができる。
【００４７】
尚、本発明は、前記実施形態に限定されないことは勿論であって、特許請求の範囲を逸脱しなければ、適宜、構成の追加や変更を行うことができる。
【００４８】
例えば、前記実施形態では、業種別フォルダ内の特売情報を１画面で表示しているが、特売情報の量が多い場合は、画面の縦スクロール操作、ページめくり操作などの画面送り操作に応じて多くの特売情報を順次表示させることができる。
【００４９】
また、前記実施形態では、販売促進メール配信端末３が、顧客が所持する携帯端末２のメールアドレスに販売促進用の電子メールを配信することを想定し、図１４に示すように、携帯端末２が単独で、受信メール処理、情報閲覧処理およびフォルダ自動削除処理を実行しているが、販売促進メール配信端末３による電子メールの配信先は、顧客が利用するウェブメールサービスのメールアドレスとしてもよい。以下、ウェブメールサービスを利用した本発明の実施形態について、図１５〜図１７を参照して説明する。
【００５０】
図１５は、本発明の第二実施形態に係る販売促進メールシステムの動作を示す梯子図である。
この図に示すように、本発明の第二実施形態に係る販売促進メールシステム１は、販売促進メール配信端末３が、顧客が利用するウェブメールサービスのメールアドレスに販売促進用の電子メールを配信し、携帯端末２のメール読み込み手段２ａが、顧客のメールアドレスに配信された販売促進用の電子メールを、ウェブメールサービスを提供するウェブメールサイト６のメール受信フォルダから読み込む点が前記実施形態と相違している。
【００５１】
このようにすると、第一実施形態と同様に、携帯端末２用のアプリケーションソフトウェアがメール読み込み手段２ａ、振り分け格納手段２ｂ、フォルダ選択手段２ｃおよび情報表示手段２ｄを備えるので、顧客側は、本発明に係るアプリケーションソフトウェアを携帯端末に導入するだけで、特売情報や割引クーポン情報を効率良く閲覧することが可能になる。しかも、販売促進メール配信端末３は、顧客が利用するウェブメールサービスのメールアドレスに販売促進用の電子メールを配信し、携帯端末２用のアプリケーションソフトウェアがウェブメールサイトから販売促進用の電子メールを読み込むので、携帯端末２において電子メールの着信音などを発生させないという利点がある。
【００５２】
図１６は、本発明の第三実施形態に係る販売促進メールシステムの動作を示す梯子図である。
この図に示すように、本発明の第三実施形態に係る販売促進メールシステム１は、ウェブメールサイト６が、顧客のメールアドレスに配信された販売促進用の電子メールをウェブメールサイト６のメール受信フォルダから読み込むメール読み込み手段６ａと、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段６ｂと、を備え、携帯端末２のアプリケーションソフトウェアが、携帯端末２にて顧客に日付別フォルダを選択させるフォルダ選択手段２ｃと、顧客が選択した日付別フォルダに格納された特売情報および／または割引クーポン情報をウェブメールサイト６から読み込んで携帯端末２に表示させる情報表示手段２ｄと、を備える点が前記実施形態と相違している。
【００５３】
このようにすると、ウェブメールサイト６がメール読み込み手段６ａおよび振り分け格納手段６ｂを備えるので、携帯端末２側の処理負担を軽減できるだけでなく、携帯端末２において電子メールの着信音などを発生させないという利点がある。
【００５４】
図１７は、本発明の第四実施形態に係る販売促進メールシステムの動作を示す梯子図である。
この図に示すように、本発明の第四実施形態に係る販売促進メールシステム１は、ウェブメールサイト６が、顧客のメールアドレスに配信された販売促進用の電子メールをウェブメールサイト６のメール受信フォルダから読み込むメール読み込み手段６ａと、読み込んだ販売促進用の電子メールに含まれる特売情報および／または割引クーポン情報を、当該情報毎に付加された有効日付情報にもとづいて生成または選択した日付別フォルダに振り分け状に格納する振り分け格納手段６ｂと、携帯端末２のウェブページ閲覧用ソフトウェアを介して顧客に日付別フォルダを選択させるフォルダ選択手段６ｃと、顧客が選択した日付別フォルダに格納された特売情報および／または割引クーポン情報をウェブページ閲覧用ソフトウェアを介して携帯端末２に表示させる情報表示手段６ｄと、を備える点が前記実施形態と相違している。
【００５５】
このようにすると、ウェブメールサイト６がメール読み込み手段６ａ、振り分け格納手段６ｂ、フォルダ選択手段６ｃおよび情報表示手段６ｄを備えるので、携帯端末２側の処理負担を軽減できるだけでなく、携帯端末２において電子メールの着信音などを発生させないという利点や、携帯端末２に専用のアプリケーションソフトウェアを導入する必要がないという利点がある。
【符号の説明】
【００５６】
１    販売促進メールシステム
２    携帯端末
２ａ  メール読み込み手段
２ｂ  振り分け格納手段
２ｃ  フォルダ選択手段
２ｄ  情報表示手段
２ｅ  フォルダ自動削除手段
３    販売促進メール配信端末
４    近接通信端末
５    ネットワーク
６    ウェブメールサイト
６ａ  メール読み込み手段
６ｂ  振り分け格納手段
６ｃ  フォルダ選択手段
６ｄ  情報表示手段
【図１】
2013200856.tif 000003
【図２】
2013200856.tif 000004
【図３】
2013200856.tif 000005
【図４】
2013200856.tif 000006
【図５】
2013200856.tif 000007
【図６】
2013200856.tif 000008
【図１０】
2013200856.tif 000009
【図１１】
2013200856.tif 000010
【図１２】
2013200856.tif 000011
【図１３】
2013200856.tif 000012
【図１４】
2013200856.tif 000013
【図１５】
2013200856.tif 000014
【図１６】
2013200856.tif 000015
【図１７】
2013200856.tif 000016
【図７】
2013200856.tif 000017
【図８】
2013200856.tif 000018
【図９】
2013200856.tif 000019